(57)【要約】      （修正有）【課題】使用回線毎に記録紙が指定の排紙トレイに排出することによって、受信原稿等の選別作業を低減したファクシミリ装置を提供する。【解決手段】複数の回線の内、いずれか１つと接続してデータの送受信を行う通信手段と、前記データの送受信の際、使用回線を画情報に格納する使用回線記憶手段と、複数の排紙トレイを備え、前記データの送受信による受信原稿、及び、送受信結果レポートの排紙先として、排紙トレイ毎に回線を指定する排紙トレイ回線指定手段と、前記使用回線記憶手段と前記排紙トレイ回線指定手段に応じて、排紙トレイを選択する排紙トレイ選択手段と、前記排紙トレイ選択手段により、記録紙を指定の排紙トレイに記録／排紙する記録手段とを有する。【選択図】図１
2008017313.tif 000002
【特許請求の範囲】
【請求項１】
複数の回線の内、いずれか１つと接続してデータの送受信を行う通信手段と、
前記データの送受信の際、使用回線を画情報に格納する使用回線記憶手段と、
複数の排紙トレイを備え、前記データの送受信による受信原稿、及び、送受信結果レポートの排紙先として、排紙トレイ毎に回線を指定する排紙トレイ回線指定手段と、
前記使用回線記憶手段と前記排紙トレイ回線指定手段に応じて、排紙トレイを選択する排紙トレイ選択手段と、
前記排紙トレイ選択手段により、記録紙を指定の排紙トレイに記録／排紙する記録手段と
を有することを特徴とする画像形成装置。
【請求項２】
複数の回線の内、いずれか１つと接続してデータの送受信を行う通信工程と、
前記データの送受信の際、使用回線を画情報に格納する使用回線記憶工程と、
複数の排紙トレイを備え、前記データの送受信による受信原稿、及び、送受信結果レポートの排紙先として、排紙トレイ毎に回線を指定する排紙トレイ回線指定工程と、
前記使用回線記憶工程と前記排紙トレイ回線指定工程に応じて、排紙トレイを選択する排紙トレイ選択工程と、
前記排紙トレイ選択手段により、記録紙を指定の排紙トレイに記録／排紙する記録工程と
を有すること特徴とする画像形成装置の制御方法。
【発明の詳細な説明】
【技術分野】
【０００１】
本発明は、画像形成装置と、その制御方法に関するものである。そして、特に、FAX機能において、使用回線に応じて、排紙トレイを選択できるようにしたものである。
【背景技術】
【０００２】
コピー機能、FAX機能、及び、プリンタ機能を有する画像形成装置は、広く知られている。近年、各種情報機器のネットワーク化が進展し、取扱う情報量が増大している。そのため、入出力情報の取扱いを容易にするために給紙トレイ、排紙トレイに様々な技術が適用されている。排紙トレイについて言えば、大量の排紙をストックできるようにしたり、複数の排紙トレイを備え、排紙の有無、積載量等を検知して排紙トレイを自動的に選択するものがある。また、排紙トレイが満杯の状態になると他のトレイに切り替わる装置やFAX、コピー等の複数の機能を有する装置おいては、機能ごとに排紙トレイを選択することができるものが提供されている。更に、特開平4-54068号広報見られる技術のように、排紙トレイを利用者別、書類別など、ユーザの用途に応じて選択できるようにしたものがある。
【特許文献１】特開平4-54068号公報
【発明の開示】
【発明が解決しようとする課題】
【０００３】
上記のような画像形成装置において、複数の回線を備えるものが提供されている。そして、１台の画像形成装置を、例えば、２つの回線契約をして商用と私用での使用や２部門が兼用して使用することが可能となっている。しかし、上記従来技術では、例えば、回線１からの受信原稿も回線２から受信原稿も同一のFAX機能のため、同じ排紙トレイに排出されてしまう。そのため、受信原稿等の選別作業に手間がかかるという問題があった。
【０００４】
本発明は係る事情に鑑みてなされたものであり、排紙トレイ毎に回線を指定、かつ、選択できるようにし、使用回線毎に記録紙が指定の排紙トレイに排出することによって、上記課題を解決したファクシミリ装置を提供することを目的とするものである。
【課題を解決するための手段】
【０００５】
本発明に係る発明は、複数の回線の内、いずれか１つと接続してデータの送受信を行う通信手段と、前記データの送受信の際、使用回線を画情報に格納する使用回線記憶手段と、複数の排紙トレイを備え、前記データの送受信による受信原稿、及び、送受信結果レポートの排紙先として、排紙トレイ毎に回線を指定する排紙トレイ回線指定手段と、前記使用回線記憶手段と前記排紙トレイ回線指定手段に応じて、排紙トレイを選択する排紙トレイ選択手段と、前記排紙トレイ選択手段により、記録紙を指定の排紙トレイに記録／排紙する記録手段とを有するものである。
【発明の効果】
【０００６】
以上説明したように、本発明によれば、排紙トレイ毎に回線を指定、かつ、選択できるようになり、使用回線毎に受信原稿と送受信結果レポートを指定の排紙トレイに排出することが可能となる。これにより、複数の回線を備え、１台のファクシミリ装置を、商用と私用での使用や２部門が兼用して使用するときにおいても、各回線からの受信原稿と、送受信結果レポートを別々の排紙トレイに排出することでき、選別作業の手間を省くことが可能となる。
【発明を実施するための最良の形態】
【０００７】
（実施例１）
以下に図面を参照しながら、本発明に係わる実施の形態を詳細に説明する。本実施形態では、画像形成装置としてＦＡＸ装置を例に説明するが、本発明はこれに限定されるものではない。
【０００８】
図１は、実施形態におけるＦＡＸ装置の構成を示すブロック図である。
【０００９】
同図において、１０１はＣＰＵで、システム制御部であり、装置全体を制御する。１０２はＲＯＭであり、ＣＰＵの制御プログラムを格納するものである。１０３はＲＡＭであり、ＳＲＡＭ等で構成され、プログラム制御変数等を格納するためのものである。また、オペレータが設定した回線選択方法や各種設定値、装置の管理データ類、各種ワーク用バッファもＲＡＭ１０３に格納されるものである。１０４は蓄積メモリであり、ＤＲＡＭ等で構成され、画像データを蓄積するものである。１０５は外部表示部であり、ＬＣＤ、ＬＥＤ等でユーザに表示通知するためのものである。１０６は操作部であり、キーボード、タッチパネル等で構成され、オペレータが各種入力操作を行うためのものである。１０７はスピーカであり、音声によってユーザに通知、警告をしたり、後述する通信回線（１１７、１２１）を通して送受している信号音をモニターしたりするものである。１０８は画像処理部であり、読み取られた画像データに補正処理を施して高精細な画像データを出力するものである。１０９はスキャナであり、ＣＳイメージセンサ、原稿搬送機構などで構成され、原稿を光学的に読み取って電気的な画像データに変換するものである。１１０はプリンタフォーマッタであり、例えば、ワークステーションなどからのファイルデータのプリントを行う際に、プリンタ記述言語を解析し、画像データに変換するものである。１１１は記録部であり、受信画像やファイルデータを記録紙に記録する装置である。１１２は、標準排紙トレイ、１１３は、オプション排紙トレイであり、記録された用紙が排紙される。１１４は、ＭＯＤＥＭ１、１１８は、MODEM２であり、ＦＡＸ送受信信号の変復調をおこなうものであり、１１５は、ＮＣＵ１、１１９は、NCU2であり選択信号（ダイヤルパルス、または、トーンダイヤラ）を１１６の通信回線制御部１、１２０の通信回線制御部２を介して１１７、及び、１２１である通信回線に送出する機能を有し、呼び出し音の検出による自動着信も行う。１１７、及び、１２１は、通信回線であり、一般公衆回線網（ＰＳＴＮ，ＩＳＤＮ回線等）である。１２２は、ネットワークＩ／Ｆであり、後述するＬＡＮに接続されたパソコンやホストコンピュータと本実施形態におけるＦＡＸ装置のインターフェースである。このインターフェースにより、例えば、パソコンからのプリントや本実施形態におけるＦＡＸ装置からパソコンへ原稿画像を送信することができる。１２３は、ＬＡＮ（ローカルエリアネットワーク網）であり、本実施形態におけるＦＡＸ装置と同じように、ホストコンピュータやパソコン、複写機、プリンタなどが接続されている。
【００１０】
次に、以上に構成されるファクシミリ装置において、本発明に係わる処理手順を説明する。
【００１１】
図２は、本実施例において、受信動作手順を示すフローチャートである。
【００１２】
まず、ｓ１では、着信があるか否かを判定する。着信があると、ｓ２に移行する。ｓ２では、回線を接続して応答し既知の伝送制御手順を開始する。そして、ｓ３に移行する。ｓ３では、受信が出来るか否が判別するために、装置エラー、或は、メモリフルを判別する。装置エラー、或は、メモリフルのときは、受信不可と判断し、回線を切断して本処理を終了する。そうでないときは、受信可能と判断し、ｓ４に移行する。ｓ４では、受信の画情報に着信した回線を格納して、ｓ５に移行する。ｓ５では、メモリ受信を行う。そして、メモリ受信が終了すると回線を切断し、ｓ６に移行する。ｓ６では、受信画像を後述する記録にて行い、ｓ７に移行する。ｓ７では、受信結果レポートを出力するか否かを判別する。出力しないときは、本処理を終了する。出力するときは、ｓ８に移行する。ｓ８では、ｓ４にて受信の画情報に格納された着信した回線をレポートの画情報に格納する。そして、ｓ９に移行する。ｓ９では、受信結果レポートを後述する記録にて行い、本処理を終了する。
【００１３】
図３は、本実施例において、送信手順を示すフローチャートである。
【００１４】
まず、ｓ１０では、送信操作の有無を判定する。送信操作があると、ｓ１１に移行する。ｓ１１では、送信原稿を読み取り、ｓ１２に移行する。ｓ１２では、画情報に送信する回線を格納し、ｓ１３に移行する。ｓ１３では、回線を接続して発呼する、そして、既知の伝送制御手順を開始し、送信原稿を送信する。送信が終了すると、回線を切断して、ｓ１４に移行する。ｓ１４では、送信結果レポートを出力するか否かを判定する。レポートを出力しないときは、本処理を終了する。レポートを出力するときは、ｓ１５に移行する。ｓ１５では、ｓ１２にて送信の画情報に格納された送信する回線をレポートの画情報に格納する。そして、ｓ１６に移行する。ｓ１６では、送信結果レポートを後述する記録にて行い、本処理を終了する。
【００１５】
図４は、本実施例において、送信手順を示すフローチャートである。
【００１６】
まず、ｓ２０では、ジャム等で記録可能か否かを判定する。記録可能なときは、ｓ２１に移行する。ｓ２１では、後述する排紙トレイの選択を行い、ｓ２２に移行する。ｓ２２では、排紙先があるか否かを判定する。排紙先が無いときは、ｓ２０に戻る。排紙先があるときは、ｓ２３に移行する。ｓ２３では、記録紙に印字を行う。印字が終了すると本処理を終了する。
【００１７】
図５は、本実施例において、排紙トレイ設定の内容を示す説明図である。
【００１８】
まず、排紙トレイ設定として、標準／オプションの各トレイに対して、コピー／FAX／プリンタの機能ごとに、使用するか否かを設定する。そして、FAXで「使用する」のときは、回線指定をすることが可能である。そして、するか否か設定する。更に、回線指定「する」のときは、回線を選択することか可能である。回線選択では、回線１／回線２を設定する。
【００１９】
図６、図７、図８は、本実施例において、排紙トレイ選択手順を示すフローチャートである。
【００２０】
まず、ｓ３０では、オプショントレイが装着されているか否かを判定する。装着されていれば、ｓ３４に移行し、装着されていなければ、ｓ３１に移行する。ｓ３１では、標準トレイが満載か否かを判定する。満載でなければ、ｓ３２に移行し、標準トレイを選択して、本処理を終了する。満載のときは、ｓ３３に移行し、排出するトレイがないを選択し本処理を終了する。
【００２１】
ｓ３４では、FAX機能でオプショントレイを使用するか否かを判定する。使用するときは、ｓ３５に移行し、使用しないときは、ｓ４０に移行する。ｓ３５では、FAX、又は、送受信結果レポートの画像か否かを判定する。FAX、又は、送受信結果レポートの画像のときは、ｓ３６に移行し、そうでないときは、ｓ３９に移行する。ｓ３６では、回線指定の有無を判定する。回線指定するのときは、ｓ３７に移行し、回線指定しないときは、ｓ３９に移行する。ｓ３７では、回線１指定、かつ、回線２による画像のときは、ｓ４０に移行し、そうでないときは、ｓ３８に移行する。ｓ３８では、回線２指定、かつ、回線１による画像のときは、ｓ４０に移行し、そうでないときは、ｓ３９に移行する、ｓ３９では、オプショントレイの選択を有効にし、ｓ４０では、オプショントレイの選択を無効にして、ｓ４２に移行する。
【００２２】
ｓ４２では、FAX機能で標準トレイを使用するか否かを判定する。使用するときは、ｓ４２に移行し、使用しないときは、ｓ４７に移行する。ｓ４２では、FAX、又は、送受信結果レポートの画像か否かを判定する。FAX、又は、送受信結果レポートの画像のときは、ｓ４３に移行し、そうでないときは、ｓ４６に移行する。ｓ４３では、回線指定の有無を判定する。回線指定するのときは、ｓ４４に移行し、回線指定しないときは、ｓ４６に移行する。ｓ４４では、回線１指定、かつ、回線２による画像のときは、ｓ４７に移行し、そうでないときは、ｓ４５に移行する。ｓ４５では、回線２指定、かつ、回線１による画像のときは、ｓ４７に移行し、そうでないときは、ｓ４６に移行する、ｓ４６では、標準トレイの選択を有効にし、ｓ４７では、標準トレイの選択を無効にして、ｓ４８に移行する。
【００２３】
ｓ４８では、各トレイで使用する機能数を求め、変数std_num、opt_numに格納する。そして、ｓ４９に移行する。
【００２４】
ｓ４９では、標準／オプション共にトレイの選択が有効か否かを判定する。有効のときは、ｓ５０に移行し、そうでないときは、ｓ６１に移行する。ｓ５０では、オプショントレイを使用する機能が、標準トレイを使用する機能より少ないか否かを判定する。少ないときは、ｓ５１に移行し、そうでないときは、ｓ５６に移行する。ｓ５１では、オプショントレイが満載か否かを判定する。満載のときは、ｓ５２に移行し、満載でないときは、ｓ５３に移行し、オプショントレイを選択して本処理を終了する。ｓ５２では、標準トレイが満載か否かを判定する。満載のときは、ｓ５５に移行し、満載でないときは、ｓ５４に移行する。ｓ５４では、標準トレイを選択し、ｓ５５では、排紙するトレイなしを選択して本処理を終了する。ｓ５６では、標準トレイが満載か否かを判定する。満載のときは、ｓ５７に移行し、満載でないときは、ｓ５８に移行し、標準トレイを選択して本処理を終了する。ｓ５７では、オプショントレイが満載か否かを判定する。満載のときは、ｓ６０に移行し、満載でないときは、ｓ５９に移行する。ｓ５９では、オプショントレイを選択し、ｓ６０では、排紙するトレイなしを選択して本処理を終了する。
【００２５】
ｓ６１では、オプショントレイのみ選択が有効か否かを判定する。有効のときは、ｓ６２に移行し、そうでないときは、ｓ６８に移行する。ｓ６２では、オプショントレイが満載か否かを判定する。満載のときは、ｓ６３に移行し、そうでないときは、ｓ６５に移行し、オプショントレイを選択し、本処理を終了する。ｓ６３では、標準トレイが満載か否かを判定する。満載でないときは、ｓ６４に移行する。満載のときは、ｓ６７に移行する。ｓ６４では、標準トレイを使用する機能数が０か否かを判定する。０のときは、ｓ６６に移行し、標準トレイを選択して本処理を終了する。０でないときは、ｓ６７に移行する。ｓ６７では、排紙するトレイなしを選択して本処理を終了する。
【００２６】
ｓ６８では、標準トレイのみ選択が有効か否かを判定する。有効のときは、ｓ６９に移行し、そうでないときは、ｓ７５に移行する。ｓ６９では、標準トレイが満載か否かを判定する。満載のときは、ｓ７０に移行し、そうでないときは、ｓ７２に移行し、標準トレイを選択し、本処理を終了する。ｓ７０では、オプショントレイが満載か否かを判定する。満載でないときは、ｓ７１に移行する。満載のときは、ｓ７４に移行する。ｓ７１では、オプショントレイを使用する機能数が０か否かを判定する。０のときは、ｓ７３に移行し、オプショントレイを選択して本処理を終了する。０でないときは、ｓ７４に移行する。ｓ７４では、排紙するトレイなしを選択して本処理を終了する。
【００２７】
ｓ７５では、標準トレイを使用する機能数が０か否かを判定する。０のときは、ｓ７６に移行する。そうでないときは、ｓ７８に移行する。ｓ７６では、標準トレイが満載か否かを判定する。満載のときは、ｓ７８に移行する。満載でないときは、ｓ７７に移行し、標準トレイを選択して本処理を終了する。ｓ７８では、オプショントレイを使用する機能数が０か否かを判定する。０のときは、ｓ７９に移行する。そうでないときは、ｓ８１に移行する。ｓ７９では、オプショントレイが満載か否かを判定する。満載のときは、ｓ８１に移行する。満載でないときは、ｓ８０に移行し、オプショントレイを選択して本処理を終了する。
【００２８】
ｓ８１では、標準トレイを使用する機能数がオプショントレイを使用する機能数より少ないか否かを判定する。少ないときは、ｓ８２に移行する。そうでないときは、ｓ８７に移行する。ｓ８２では、標準トレイが満載か否かを判定する。満載のときは、ｓ８３に移行し、満載でないときは、ｓ８４に移行し、標準トレイを選択して本処理を終了する。ｓ８３では、オプショントレイが満載か否かを判定する。満載でないときは、ｓ８５に移行し、満載のときは、ｓ８６に移行する。ｓ８５では、オプショントレイを選択し、ｓ８６では、排紙するトレイなしを選択して本処理を終了する。
【００２９】
ｓ８７では、標準トレイを使用する機能数がオプショントレイを使用する機能数より多いか否かを判定する。多いときは、ｓ８８に移行する。そうでないときは、ｓ９３に移行する。ｓ８８では、オプショントレイが満載か否かを判定する。満載のときは、ｓ８９に移行し、満載でないときは、ｓ９０に移行し、オプショントレイを選択して本処理を終了する。ｓ９０では、標準トレイが満載か否かを判定する。満載でないときは、ｓ９１に移行し、満載のときは、ｓ９２に移行する。ｓ９１では、標準トレイを選択し、ｓ９２では、排紙するトレイなしを選択して本処理を終了する。
【００３０】
ｓ９３では、標準トレイを使用する機能数とオプショントレイを使用する機能数とが同じか否かを判定する。同じときは、ｓ９４に移行し、そおうでないときは、ｓ９８に移行する。ｓ９４では、標準トレイが満載か否かを判定する。満載のときは、ｓ９５に移行する。満載でないときは、ｓ９６に移行し、標準トレイを選択して本処理を終了する。ｓ９５では、オプショントレイが満載か否かを判定する。満載でないときは、ｓ９７に移行し、満載のときは、ｓ９８に移行する。ｓ９７では、オプショントレイを選択し、ｓ９８では、排紙するトレイなしを選択して本処理を終了する。
【００３１】
図９は記憶媒体のメモリマップを示す説明図である。
【００３２】
尚、本発明は、複数の機器（例えば、ホストコンピュータ、インターフェース機器、リーダ、プリンタなど）からなるシステムに適用しても、一つの機器からなる装置装置（例えば、複写機、ＦＡＸ装置など）に適用してもよい。
【００３３】
また、本発明の目的は前述した実施形態を実現するソフトウエアのプログラムコードを記憶した記憶媒体を、システム或いは装置に供給し、そのシステム或いは装置のコンピュータ（ＣＰＵ若しくはＭＰＵ）が記憶媒体に格納されたプログラムコードを読出しすることによって達成されることは言うまでもない。
【００３４】
この場合、記憶媒体から読出されたプログラムコード自体が前述実施形態の機能を実施することになり、そのプログラムコードを記憶した記憶媒体は、本発明を構成することになる。
【００３５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００３６】
また、コンピュータが読出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部又は全部を行い、その処理によって前述した実施形態の機能が実現される場合も含まれることはいうまでもない。
【００３７】
更に、記憶媒体から読出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の一部又は全部を行い、その処理によって前述した実施形態の機能が実現される場合も含まれることはいうまでもない。
【図面の簡単な説明】
【００３８】
【図１】本発明の一実施例を示すブロック図である。
【図２】上記実施例における受信動作手順を示すフローチャートである。
【図３】上記実施例における送信動作手順を示すフローチャートである。
【図４】上記実施例における記録動作手順を示すフローチャートである。
【図５】上記実施例における排紙トレイ設定の内容を示す説明図である。
【図６】上記実施例における排紙トレイ選択手順を示すフローチャートである。
【図７】上記実施例における排紙トレイ選択手順を示すフローチャートである。
【図８】上記実施例における排紙トレイ選択手順を示すフローチャートである。
【図９】記憶媒体のメモリマップを示す説明図である。
【符号の説明】
【００３９】
１０１  ＣＰＵ
１０２  ＲＯＭ
１０３  ＲＡＭ
１０４  蓄積メモリ
１０５  外部表示部
１０６  操作部
１０７  スピーカ
１０８  画像処理部
１０９  スキャナ
１１０  プリンタフォーマッタ
１１１  記録部
１１２  標準トレイ
１１３  オプショントレイ
１１４  ＭＯＤＥＭ１
１１５  ＮＣＵ１
１１６  通信回線制御部１
１１７  通信回線（一般公衆回線網；PSTN）
１１８  ＭＯＤＥＭ２
１１９  ＮＣＵ２
１２０  通信回線制御部２
１２１  通信回線（一般公衆回線網；PSTN、ISDN等）
１２２  ネットワークＩ／Ｆ
１２３  ＬＡＮ（ローカルエリアネットワーク網）
【図１】
2008017313.tif 000003
【図２】
2008017313.tif 000004
【図３】
2008017313.tif 000005
【図４】
2008017313.tif 000006
【図５】
2008017313.tif 000007
【図６】
2008017313.tif 000008
【図７】
2008017313.tif 000009
【図８】
2008017313.tif 000010
【図９】
2008017313.tif 000011